(57)【要約】【課題】外部位相差観察を確実に行う。【解決手段】対物レンズ１４の瞳面と共役な像側の瞳共役面Ｆ３に位相差リングが配置され、平行平面硝子４１が、対物レンズ１４からの光の光路中に挿脱可能に配置される。そして、光軸Ｌ１上に配置された平行平面硝子４１により、光路の光軸Ｌ３に沿って像側の瞳共役面Ｆ３が移動される。また、位相差リングが配置される位置が、所定の調整範囲で、光軸Ｌ３の方向に調整可能である。本発明は、例えば、位相差観察を行う顕微鏡装置に適用できる。【選択図】図２
2010175774.tif 000002
【特許請求の範囲】
【請求項１】
対物レンズと、
前記対物レンズの瞳面と共役な像側瞳共役面に配置される観察用光学素子と、
前記対物レンズからの光の光路中に挿脱可能に配置され、前記光路の光軸に沿って前記像側瞳共役面を移動させる瞳面移動用光学素子と
を備えることを特徴とする顕微鏡装置。
【請求項２】
前記観察用光学素子は位相差リングであり、前記位相差リングが配置される位置が、所定の調整範囲で、前記光軸方向に調整可能である
ことを特徴とする請求項１に記載の顕微鏡装置。
【請求項３】
前記瞳面移動用光学素子は、前記光路に設置した際、前記光路の光軸に直交する両面が平行かつ平面に形成された平行平面硝子である
ことを特徴とする請求項１または２に記載の顕微鏡装置。
【請求項４】
前記試料に照明光を照射する際に前記光路内に挿入されるフィルタブロックが装着され、前記光路内に配置される前記フィルタブロックを切り替えるフィルタブロック切替装置
をさらに備え、
前記瞳面移動用光学素子は、前記フィルタブロックと共通の装着部を利用して前記フィルタブロック切替装置に装着される
ことを特徴とする請求項１乃至３のいずれかに記載の顕微鏡装置。
【請求項５】
１個以上の前記観察用光学素子が装着され、前記像側瞳共役面に配置される前記観察用光学素子を切り替える観察用光学素子切替手段と、
前記瞳面移動用光学素子を前記光路内に挿脱させる瞳面移動用光学素子挿脱手段と、
前記観察用光学素子切替手段により前記像側瞳共役面に配置される前記観察用光学素子に応じて、前記瞳面移動用光学素子挿脱手段を駆動させて前記瞳面移動用光学素子を前記光路内に配置させる制御手段と
をさらに備えることを特徴とする請求項１乃至５のいずれかに記載の顕微鏡装置。
【発明の詳細な説明】
【技術分野】
【０００１】
本発明は、顕微鏡装置に関する。
【背景技術】
【０００２】
従来、顕微鏡による観察において、対物レンズの瞳面に光学素子を配置して、その光学素子の効果により通常の観察では可視化することが困難な標本を可視化し、その標本を観察することができる。例えば、特許文献１には、位相差リングを光路内へ挿脱可能とするスライダに設置し、観察条件に合わせて適する位相差リングを光路に配置した顕微鏡が開示されている。
【０００３】
一方、対物レンズの像面側にある瞳共役面に位相板や位相差リング等の光学素子を配置して観察する、いわゆる外部位相差観察の場合、対物レンズによって瞳位置が異なるため、対物レンズに応じて瞳共役面に配置される光学素子の光軸上の位置を調整する必要がある。
【０００４】
【特許文献１】特公平６−９７３０４号公報
【発明の開示】
【発明が解決しようとする課題】
【０００５】
ところで、上述したように、対物レンズの像面側にある瞳共役面に位相板である光学素子を配置して位相差観察する場合に、対物レンズの種類によっては、瞳共役面の位置が光学素子の位置の調整範囲外となることがある。そのような対物レンズを使用した観察では、光学素子の効果を十分に得ることができず、外部位相差観察を確実に行うことが困難なことがある。
【０００６】
本発明は、このような状況に鑑みてなされたものであり、外部位相差観察を確実に行うことができるようにするものである。
【課題を解決するための手段】
【０００７】
本発明の顕微鏡装置は、対物レンズと、前記対物レンズの瞳面と共役な像側瞳共役面に配置される観察用光学素子と、前記対物レンズからの光の光路中に挿脱可能に配置され、前記光路の光軸に沿って前記像側瞳共役面を移動させる瞳面移動用光学素子とを備えることを特徴とする。
【０００８】
本発明の顕微鏡装置においては、観察用光学素子が、対物レンズの瞳面と共役な像側瞳共役面に配置され、瞳面移動用光学素子が、対物レンズからの光の光路中に挿脱可能に配置される。そして、瞳面移動用光学素子により、光路の光軸に沿って像側瞳共役面が移動される。
【発明の効果】
【０００９】
本発明の顕微鏡装置によれば、外部位相差観察を確実に行うことができる。
【発明を実施するための最良の形態】
【００１０】
以下、本発明を適用した具体的な実施の形態について、図面を参照しながら詳細に説明する。
【００１１】
図１は、本発明を適用した顕微鏡の一実施の形態を示す斜視図である。
【００１２】
図１の顕微鏡１１は、観察の対象となる標本１２がステージ１３に載置され、ステージ１３の下方に配設されている対物レンズ１４を介して、標本１２を下方から観察する、いわゆる倒立顕微鏡と称される種類のものである。
【００１３】
ステージ１３は、上面が水平になるように、顕微鏡１１のほぼ中央に配設されており、ステージ１３の中央の一部は、観察光を透過することができる透明部材により構成されている。また、ステージ１３は、鉛直方向に向かう光軸Ｌ１に対して垂直な平面に沿って移動可能に構成されており、図示しない操作部に対するユーザの操作に応じて、その上面に載置される標本１２を移動させることができる。
【００１４】
対物レンズ１４は、標本１２からの観察光（例えば、標本１２の回折光または直接光や、標本１２で励起された蛍光など）を収束させ、光軸Ｌ１に沿って平行な光束として、本体部１５を介して鏡筒１６に向かう光路（図２参照）に導入する。対物レンズ１４により光路に導入された観察光は、その光路を経由して鏡筒１６内の所定位置において結像され、ユーザは、接眼レンズ１７Ｌおよび１７Ｒを介して、鏡筒１６内の観察像を直接観察することができる。
【００１５】
以下、適宜、顕微鏡１１において、接眼レンズ１７Ｌおよび１７Ｒが向く方向を手前側（図１の右側）と称し、その反対側を奥側と称する。また、図２を参照して後述するように、光軸Ｌ１に沿って鉛直方向の下方に向かう観察光は、本体部１５の内部で、光軸Ｌ１に略直交する光軸Ｌ２に沿って手前方向に反射され、さらに、光軸Ｌ２に略直交する光軸Ｌ３に沿って鉛直方向の上方に反射されて鏡筒１６に入射する。
【００１６】
本体部１５の内部には、観察光を伝達する光学系を構成するミラーやレンズなど（図２参照）が収納されており、本体部１５の上面の手前側には、鏡筒ベースユニット１８が装着され、本体部１５の上面の中央には、フィルタブロックターレット１９が装着されている。また、本体部１５の左側面には、カメラ２０を着脱可能なカメラポート２１が配設されており、カメラ２０により標本１２の観察像を撮像することができる。
【００１７】
鏡筒ベースユニット１８は、その上面に鏡筒１６が装着されており、本体部１５から鏡筒１６に向かう光軸Ｌ３上に、例えば、位相差リングなどの各種の光学素子を挿脱するための外部位相差ターレット２２が収納される。また、鏡筒ベースユニット１８の左側面には、カメラ２３を着脱可能なカメラポート２４が配設されており、例えば、光軸Ｌ３上にミラー（図示せず）を挿入することにより観察光を反射させてカメラポート２４に導入させて、カメラ２３により標本１２の観察像を撮像することができる。
【００１８】
本実施の形態では、鏡筒ベースユニット１８は、鏡筒１６および本体部１５から取り外すことが可能となっており、必要に応じて、鏡筒ベースユニット１８を取り付けることが可能となっている。もちろん、本願発明は、この様に鏡筒ベースユニット１８が着脱可能となっていない構成のものにも適用することができる。
【００１９】
外部位相差ターレット２２は、光軸Ｌ３に平行な回転軸を中心に回転可能に構成されている。また、外部位相差ターレット２２には、図６を参照して後述するように、三種類の位相差リング（観察用光学素子）が装着されているとともに、観察光を通過させる開口部が形成されており、外部位相差ターレット２２が回転軸を中心に回転することで、光軸Ｌ３上に配置される位相差リングまたは開口部が切り替えられる。
【００２０】
外部位相差ターレット２２の側面には操作部２２ａが設けられており、ユーザにより操作部２２ａが操作（回転）されることで、位相差リングの光軸Ｌ３方向の位置が調整される。例えば、位相差リングは、円筒部材に収納されているとともに、その円筒部材が、外部位相差ターレット２２に対して光軸Ｌ３方向に沿ってスライド可能に支持されている。また、操作部２２ａには、先端側がクランク状に形成されたシャフトが連結されており、そのシャフトの先端部に位相差リングが収納された円筒部材が連結されている。そして、ユーザが、操作部２２ａを回転させると、操作部２２ａに連結されたシャフトを介して、位相差リングが光軸Ｌ３方向にスライド（上下動）される。このような機構により、位相差リングは、所定の調整範囲（シャフトにより位相差リングがスライド可能な範囲）内で、光軸Ｌ３方向の位置が調整可能とされている。
【００２１】
フィルタブロックターレット１９は、光軸Ｌ１に平行な回転軸を中心に回転可能に構成されおり、その回転軸を中心に回転することで、図３を参照して後述するように、フィルタブロックターレット１９に装着される各種のブロックが光軸Ｌ１上に配置される。
【００２２】
また、本体部１５の上面におけるフィルタブロックターレット１９の奥側には、光軸Ｌ１に沿って高さを調整可能な調整部材２５が装着されており、調整部材２５の上面には、対物レンズ１４が装着されたレボルバ２６を支持するアーム部２７が取り付けられている。調整部材２５の高さを調整することで、アーム部２７の先端に取り付けられたレボルバ２６が光軸Ｌ１に沿って上下動し、これにより、対物レンズ１４の光軸Ｌ１方向の位置が調整されて、標本１２内部の焦点位置が調整される。また、レボルバ２６は、対物レンズ１４以外に、図示しない複数種類の対物レンズが装着可能であり、レボルバ２６が回転することで、光軸Ｌ１上に配置される対物レンズが切り替えられ、複数種類の対物レンズを使用した観察が行われる。
【００２３】
また、本体部１５の上面における調整部材２５の奥側には、落射蛍光用照明装置２８が取り付けられるベース部材２９が装着されており、落射蛍光用照明装置２８から照射される照明光は、ベース部材２９および調整部材２５を介してフィルタブロックターレット１９内に入射する。
【００２４】
ベース部材２９の上面には、ステージ１３の奥側の端部を支持する支持部材３０が配設されており、支持部材３０の上面に支柱３１が配設されている。なお、ステージ１３の手前側の端部は、鏡筒ベースユニット１８により支持される。
【００２５】
支柱３１の上端には、透過照明用照明装置３２が装着されており、透過照明用照明装置３２から照射される照明光は、透過照明用照明装置３２から手前側に向かって延びるアーム部３３内のミラー（図示せず）により、光軸Ｌ１に沿って下方に照射される。
【００２６】
また、支柱３１の途中には、光軸Ｌ１上に配置されるコンデンサレンズ３４が装着されたコンデンサターレット３５を支持する支持アーム３６が取り付けられている。支持アーム３６は、支柱３１に沿って上下動可能であり、コンデンサレンズ３４およびコンデンサターレット３５の光軸Ｌ１方向の位置を調整する。コンデンサターレット３５は、コンデンサレンズ３４以外に、例えば、リング絞りなどがセットされた観察用カセット（図示せず）を装着可能に構成されており、コンデンサターレット３５が回転することで、光軸Ｌ１上に配置されるリング絞りが切り替えられる。
【００２７】
以上のように顕微鏡１１は構成されており、位相差観察において、外部位相差ターレット２２を回転させ、対物レンズ１４の瞳面と共役な瞳共役面に挿入される位相差リングを切り替えることができる。また、顕微鏡１１では、レボルバ２６が回転されて対物レンズ１４が切り替えられるのに応じて、瞳共役面の位置が光軸Ｌ３に沿って移動した際に、操作部２２ａを操作して、所定の調整範囲で、位相差リングの光軸Ｌ３方向の位置を調整することで、対物レンズ１４に応じた瞳共役面に位相差リングを配置することができる。
【００２８】
ところで、対物レンズ１４の種類によっては、瞳共役面の位置が操作部２２ａによる調整範囲外となることがある。この場合、顕微鏡１１では、瞳共役面の位置を変更することができる光学素子である平行平面硝子（瞳面移動用光学素子）を利用して、位相差リングの調整範囲内に瞳共役面を移動させることができる。
【００２９】
次に、図２を参照して、顕微鏡１１の光学系に平行平面硝子を挿入することによる瞳共役面の移動について説明する。
【００３０】
図２Ａには、平行平面硝子４１が挿入されていない状態の光学系が示されており、図２Ｂには、平行平面硝子４１が挿入されている状態の光学系が示されている。また、図２では、観察像の結像光線が実線で表されており、瞳の結像光線が破線で表されている。
【００３１】
物体面Ｆ１からの観察光は、光軸Ｌ１に沿って対物レンズ１４および結像レンズ４２を介してミラー４３に入射し、ミラー４３によって光軸Ｌ２に沿って反射された後、フィールドレンズ４４を介してミラー４５に入射し、ミラー４５によって光軸Ｌ３に沿って反射される。そして、リレーレンズ４６および４７を介して、ミラー４８により反射され、図１の鏡筒１６内の所定位置で結像され、接眼レンズ１７Ｌおよび１７Ｒを介して観察される。また、落射蛍光用照明装置２８からの照明光は光軸Ｌ４に沿って照射され、図示しないダイクロイックミラー（図４参照）により光軸Ｌ１に沿って反射される。
【００３２】
図２Ａに示すように、対物レンズ１４と結像レンズ４２との間に瞳面Ｆ２が形成されるとともに、リレーレンズ４６と４７との間に瞳共役面Ｆ３が形成される。また、対物レンズ１４と結像レンズ４２との間において観察像の結像光線は平行光束となっている。
【００３３】
従って、図２Ｂに示すように、対物レンズ１４と結像レンズ４２との間に対物レンズ１４の瞳の瞳共役位置を補正する平行平面硝子４１を挿入することで、平行光束となっている観察像の結像光線を変化させることなく、瞳の結像光線を屈折させて、図２Ａに示されていた瞳共役面Ｆ３を、瞳共役面Ｆ３’の位置に移動させることができる。
【００３４】
例えば、フィルタブロックターレット１９に装着可能なブロックに平行平面硝子４１を取り付け、そのブロックを装着したフィルタブロックターレット１９を回転させることで、対物レンズ１４と結像レンズ４２との間の光軸Ｌ１上に平行平面硝子４１を挿脱することができる。
【００３５】
次に、図３を参照して、フィルタブロックターレット１９について説明する。図３Ａには、図１の光軸Ｌ１に沿った上方からみたフィルタブロックターレット１９の平面図が示されており、図３Ｂには、フィルタブロックターレット１９の斜視図が示されている。
【００３６】
フィルタブロックターレット１９は、円盤の形状をした部材であり、その円盤の中心を回転軸として回転可能に構成されており、複数個（図３の例では６個）のブロックを装着することができる。
【００３７】
図３では、フィルタブロックターレット１９に４個のフィルタブロック５１ａ乃至５１ｄが装着されている。そして、顕微鏡１１では、フィルタブロック５１ａ乃至５１ｄと同様の構成でフィルタブロックターレット１９に対して装着可能で、図２を参照して説明した平行平面硝子４１を備えた光学素子ブロック５２がフィルタブロックターレット１９に装着される。
【００３８】
即ち、フィルタブロックターレット１９は、その径方向にフィルタブロック５１ａ乃至５１ｄをスライドさせることにより、フィルタブロック５１ａ乃至５１ｄを着脱させることができ、図３に示されている矢印方向に光学素子ブロック５２をスライドさせることで、光学素子ブロック５２がフィルタブロックターレット１９に装着される。なお、フィルタブロック５１ａ乃至５１ｄは同様に構成されており、以下、適宜、フィルタブロック５１ａ乃至５１ｄのそれぞれを区別する必要がないとき、フィルタブロック５１と称する。
【００３９】
また、フィルタブロックターレット１９には、フィルタブロック５１または光学素子ブロック５２を装着可能な装着部５３が、フィルタブロックターレット１９の円周方向に均等に６箇所に形成されている。なお、図３では、光学素子ブロック５２が装着される装着部５３にのみ符号が付されている。
【００４０】
装着部５３の底面には、円形の開口部５４が形成されているとともに、装着部５３の両側面には、切り欠き部５５および５６が形成されている。装着部５３の切り欠き部５５および５６は、フィルタブロック５１と光学素子ブロック５２とのそれぞれ共通した形状で形成されている嵌合部５７および５８と嵌合可能とされている。
【００４１】
嵌合部５７および５８は、下方に向かうに従い広がるような傾斜面を有し、フィルタブロック５１および光学素子ブロック５２の装着時のスライド方向に沿って延びる凸形状（角アリ形状）の部分である。切り欠き部５５および５６は、この凸形状の嵌合部５７および５８に対応した凹形状の溝部である。
【００４２】
また、装着部５３は、図示しないクリック機構を有しており、そのクリック機構によりフィルタブロック５１および光学素子ブロック５２をそれぞれ位置決めして固定する。
【００４３】
次に、図４には、フィルタブロック５１の斜視図と、光軸Ｌ１に沿った断面における概略的なフィルタブロック５１の断面図とが示されている。
【００４４】
フィルタブロック５１は、光軸Ｌ４に対して垂直に配置されるフィルタ６１、光軸Ｌ１およびＬ４の交点に配置されるダイクロイックミラー６２、光軸Ｌ１に対して垂直に配置されるフィルタ６３を備えて構成される。
【００４５】
フィルタ６１は、落射蛍光用照明装置２８から照射される照明光をフィルタリングし、標本１２に含まれる所定の蛍光成分を励起させる波長領域の光を透過させる。
【００４６】
ダイクロイックミラー６２は、フィルタ６１を透過した波長領域の光を反射するとともに、その波長領域以外の光を透過させる。即ち、ダイクロイックミラー６２は、光軸Ｌ４に沿ってフィルタ６１を介して入射する照明光を光軸Ｌ１の上方に向かって反射し、標本１２から発せられ光軸Ｌ１に沿って入射する蛍光を透過させる。
【００４７】
フィルタ６３は、ダイクロイックミラー６２を透過した光をフィルタリングし、標本１２から発せられる蛍光の波長領域の光のみを通過させる。
【００４８】
次に、図５には、光学素子ブロック５２の斜視図と、光軸Ｌ１に沿った断面における概略的な光学素子ブロック５２の断面図が示されている。
【００４９】
光学素子ブロック５２には、光軸Ｌ１に直交する上下面が平行かつ平面となるように形成された、例えば、円筒形状の平行平面硝子４１が固定されている。
【００５０】
このように構成されている光学素子ブロック５２が装着されたフィルタブロックターレット１９が、図１の顕微鏡１１に装着され、フィルタブロックターレット１９が回転することで、平行平面硝子４１が光軸Ｌ１上に挿入される。
【００５１】
このように構成されていることにより、顕微鏡１１では、平行平面硝子４１を光軸Ｌ１上に挿入することで、瞳共役面Ｆ３（図２）の位置が位相差リングの調整範囲から外れるような対物レンズ１４を使用しても、その調整範囲内に瞳共役面Ｆ３の位置を変更することができる。これにより、位相差リングを瞳共役面Ｆ３に確実に配置させることができるので、位相差リングの効果を十分に得ることができ、位相差観察を確実に行うことができる。
【００５２】
また、例えば、瞳共役面Ｆ３の位置が位相差リングの調整範囲から外れないように、その調整範囲を広範囲にするような機構を採用して、位相差観察が行えるようにすることも考えられる。しかしながら、この場合、位相差リングを調整する機構が大きくなり、顕微鏡が大型化してしまう。これに対し、顕微鏡１１では、そのように大型化することなく、位相差観察を確実に行うことができる。
【００５３】
また、図２を参照して説明したように、平行平面硝子４１により瞳共役面Ｆ３の位置を変更しても、観察像の結像光線への影響が回避される。これにより、多数の種類の対物レンズを観察に使用することができる。
【００５４】
また、顕微鏡１１では、瞳共役面Ｆ３の位置が位相差リングの調整範囲から外れるような対物レンズ１４が選択されたとき、例えば、対物レンズ１４の種類を検知する検知手段を設け、得られたデータを基に平行平面硝子４１が光軸Ｌ１上に自動的に挿入されるように、モータによりフィルタブロックターレット１９を回転駆動させる制御を行ってもよく、また、手動でフィルタブロックターレット１９を駆動させてもよい。
【００５５】
次に、図６を参照して、顕微鏡１１における各部の制御について説明する。図６は、顕微鏡１１の構成例を示すブロック図である。
【００５６】
顕微鏡１１を制御する制御装置７１は、顕微鏡１１の各部を制御するマイクロコンピュータ７２、マイクロコンピュータ７２が実行するプログラムや各種のデータなどを記憶する記憶部７３、顕微鏡１１に対する設定情報を入力するための設定情報入力部７４、および、顕微鏡１１に対する操作を指令するための操作指令スイッチ７５を備えて構成される。また、マイクロコンピュータ７２には、アドレス検出装置７６ａ乃至７６ｄおよびモータ７７ａ乃至７７ｃが接続されている。
【００５７】
コンデンサターレット３５は、アドレス番号Ｎｏ１１乃至Ｎｏ１５により識別される５箇所の装着箇所にリング絞りカセットを装着可能に構成されている。図６では、アドレス番号Ｎｏ１１の装着箇所にはリング絞りカセットが装着されておらず、装着箇所に形成されている開口部を介して照明光を通過可能と（開放）されており、アドレス番号Ｎｏ１２乃至Ｎｏ１５の装着箇所に各々異なる開口径を有する所定のリング絞りカセットがそれぞれ装着されている。アドレス検出装置７６ａは、図１の光軸Ｌ１上に配置されるリング絞りカセットが装着されている装着箇所のアドレス番号を検出してマイクロコンピュータ７２に通知する。モータ７７ａは、マイクロコンピュータ７２の制御に従って、所定のアドレス番号に対応するリング絞りカセットが光軸Ｌ１上に配置されるように、コンデンサターレット３５を回転駆動する。
【００５８】
レボルバ２６は、アドレス番号Ｎｏ２１乃至Ｎｏ２６により識別される６箇所の装着箇所に各々、倍率などが異なる対物レンズ（例えば、図１の対物レンズ１４）を装着可能に構成されている。アドレス検出装置７６ｂは、図１の光軸Ｌ１上に配置される対物レンズが装着されている装着箇所のアドレス番号を検出してマイクロコンピュータ７２に通知する。モータ７７ｂは、マイクロコンピュータ７２の制御に従って、所定のアドレス番号に対応する対物レンズが光軸Ｌ１上に配置されるように、レボルバ２６を回転駆動する。
【００５９】
フィルタブロックターレット１９は、アドレス番号Ｎｏ３１乃至Ｎｏ３６により識別される６箇所の装着箇所に各々、光学性能が異なるブロックを装着可能に構成されている。図６では、アドレス番号Ｎｏ３１の装着箇所にはブロックが装着されておらず、装着箇所に形成されている開口部を介して観察光を通過可能とされており、アドレス番号Ｎｏ３２乃至Ｎｏ３５の装着箇所にフィルタブロック５１（図４）がそれぞれ装着されており、アドレス番号Ｎｏ３６の装着箇所に光学素子ブロック５２（図３）が装着されている。アドレス検出装置７６ｃは、図１の光軸Ｌ１上に配置されるブロックが装着されている装着箇所のアドレス番号を検出してマイクロコンピュータ７２に通知する。モータ７７ｃは、マイクロコンピュータ７２の制御に従って、所定のアドレス番号に対応するブロックが光軸Ｌ１上に配置されるように、フィルタブロックターレット１９を回転駆動する。
【００６０】
外部位相差ターレット２２は、アドレス番号Ｎｏ４１乃至Ｎｏ４４により識別される４箇所の装着箇所に位相差リングを装着可能に構成されている。図６では、アドレス番号Ｎｏ４１の装着箇所には位相差リングが装着されておらず、装着箇所に形成されている開口部を介して照明光を通過可能とされており、アドレス番号Ｎｏ４２乃至Ｎｏ４４の装着箇所に各々、光学性能が異なる所定の位相差リングがそれぞれ装着されている。アドレス検出装置７６ｄは、図１の光軸Ｌ３上に配置されている位相差リングが装着されている装着箇所のアドレス番号を検出してマイクロコンピュータ７２に通知する。
【００６１】
このように構成されている顕微鏡１１では、ユーザが設定情報入力部７４を使用して、コンデンサターレット３５の各装着箇所のアドレスに対応するリング絞りカセットの設定情報を入力すると、それらのアドレスに対応付けられてリング絞りカセットの設定情報が登録されたアドレス設定テーブルが記憶部７３に記憶される。
【００６２】
同様に、レボルバ２６の各装着箇所のアドレスに対応付けられて対物レンズの設定情報が登録されたアドレス設定テーブル、フィルタブロックターレット１９の各装着箇所のアドレスに対応付けられてブロックの設定情報が登録されたアドレス設定テーブル、および、外部位相差ターレット２２の各装着箇所のアドレスに対応付けられて位相差リングの設定情報が登録されたアドレス設定テーブルが記憶部７３に記憶される。
【００６３】
図７乃至図１０には、記憶部７３に記憶されるアドレス設定テーブルの一例が示されている。
【００６４】
図７には、コンデンサターレット３５の各装着箇所のアドレスに対応付けられてリング絞りカセットの設定情報が登録されたアドレス設定テーブルが示されている。
【００６５】
例えば、アドレス番号Ｎｏ１１には、アドレス番号Ｎｏ１１により識別される装着箇所にはリング絞りカセットが装着されていないことを示す設定情報「開放」が対応付けられている。また、アドレス番号Ｎｏ１２乃至Ｎｏ１５には、それぞれ対応する装着箇所に装着されているリング絞りカセットの種類を示す設定情報「ＰＨ１」乃至「ＰＨ４」が対応付けられている。
【００６６】
図８には、レボルバ２６の各装着箇所のアドレスに対応付けられて対物レンズの設定情報が登録されたアドレス設定テーブルが示されている。
【００６７】
例えば、アドレス番号Ｎｏ２１には、アドレス番号Ｎｏ２１の装着箇所に装着されている対物レンズの種類を示す設定情報「DL 10x」が対応付けられており、アドレス番号Ｎｏ２２には、アドレス番号Ｎｏ２２の装着箇所に装着されている対物レンズの種類を示す設定情報「DM 20x」が対応付けられている。以下、同様に、アドレス番号Ｎｏ２３乃至Ｎｏ２６には、それぞれ対応する装着箇所に装着されている対物レンズの種類を示す設定情報「P Fluor 40x」、「P Apo 60xW」、「Apo TIRF 60x」、および「Apo TIRF 100x」が対応付けられている。
【００６８】
図９には、フィルタブロックターレット１９の各装着箇所のアドレスに対応付けられてブロックの設定情報が登録されたアドレス設定テーブルが示されている。
【００６９】
例えば、アドレス番号Ｎｏ３１には、アドレス番号Ｎｏ３１により識別される装着箇所にはブロックが装着されていないことを示す設定情報「開放」が対応付けられており、アドレス番号Ｎｏ３２には、アドレス番号Ｎｏ３２の装着箇所に装着されているブロックの種類を示す設定情報「UV-1A」が対応付けられている。以下、同様に、アドレス番号Ｎｏ３３乃至Ｎｏ３６には、それぞれ対応する装着箇所に装着されているブロックの種類を示す設定情報「BV-2A」、「B-2A」、「G-2A」、および「平行平面硝子」が対応付けられている。即ち、アドレス番号Ｎｏ３６により識別される装着箇所には、図３の平行平面硝子４１を備えた光学素子ブロック５２が装着されている。
【００７０】
図１０には、外部位相差ターレット２２の各装着箇所のアドレスに対応付けられて位相差リングの設定情報が登録されたアドレス設定テーブルが示されている。
【００７１】
例えば、アドレス番号Ｎｏ４１には、アドレス番号Ｎｏ４１により識別される装着箇所には位相差リングが装着されていないことを示す設定情報「開放」が対応付けられており、アドレス番号Ｎｏ４２には、アドレス番号Ｎｏ４２の装着箇所に装着されている位相差リングの種類を示す設定情報「位相差リング40ｘPH3」が対応付けられている。以下、同様に、アドレス番号Ｎｏ４３およびＮｏ４４には、それぞれ対応する装着箇所に装着されている位相差リングの種類を示す設定情報「位相差リング60ｘPH3」および「位相差リング100ｘPH4」が対応付けられている。
【００７２】
顕微鏡１１では、図７乃至図１０に示したようなアドレス設定テーブルが記憶部７３に記憶されると、リング絞りカセット、対物レンズ、ブロック、および位相差リングを連動して用いるときの組み合わせが設定される。
【００７３】
図１１には、位相差リング、対物レンズ、リング絞りカセット、およびブロックを連動して用いるときの組み合わせが設定された連動設定テーブルが示されている。
【００７４】
例えば、図１１に示されている連動設定テーブルの例では、位相差リング、リング絞りカセット、およびブロックが同時に開放されて観察が行われることが示されている。また、アドレス番号Ｎｏ４２の位相差リング「位相差リング40ｘPH3」、アドレス番号Ｎｏ２３の対物レンズ「P Fluor 40x」、アドレス番号Ｎｏ１４のリング絞りカセット「ＰＨ３」、およびアドレス番号Ｎｏ３６のブロック「平行平面硝子」の組み合わせで観察が行われることが示されている。
【００７５】
同様に、アドレス番号Ｎｏ４３の位相差リング「位相差リング60ｘPH3」、アドレス番号Ｎｏ２５の対物レンズ「P Fluor 60x」、アドレス番号Ｎｏ１４のリング絞りカセット「ＰＨ３」、およびアドレス番号Ｎｏ３１のブロック「開放」の組み合わせで観察が行われること、アドレス番号Ｎｏ４４の位相差リング「位相差リング100ｘPH4」、アドレス番号Ｎｏ２６の対物レンズ「P Fluor 100x」、アドレス番号Ｎｏ１５のリング絞りカセット「ＰＨ４」、およびアドレス番号Ｎｏ３１のブロック「開放」の組み合わせで観察が行われることが示されている。なお、フィルタブロックターレット１９のブロック「開放」のとき、フィルタブロックターレット１９のブロックが装着されていない装着箇所が光軸Ｌ１上に配置され、開口部５４（図３）を観察光が通過する。
【００７６】
次に、図１２は、アドレス設定テーブルおよび連動設定テーブルを登録する処理を説明するフローチャートである。
【００７７】
例えば、ユーザが、アドレス設定テーブルおよび連動設定テーブルを登録する処理を開始するように、図６の設定情報入力部７４を操作すると処理が開始され、マイクロコンピュータ７２は、ステップＳ１１において、ユーザにより設定情報入力部７４を介して入力される設定情報を取得し、ステップＳ１２において、ステップＳ１１で取得した設定情報を、アドレス設定テーブル（図７乃至図１０）に登録して記憶部７３に記憶させる。
【００７８】
例えば、ユーザは、キーボードなどからなる設定情報入力部７４を操作して、図７乃至図１０に示した各種の設定情報を入力することができる。また、例えば、コンデンサターレット３５、レボルバ２６、フィルタブロックターレット１９、および外部位相差ターレット２２それぞれに装着可能なものの設定情報を記憶部７３に記憶させておき、マイクロコンピュータ７２は、それらの設定情報をユーザに提示し、ユーザがマウスなどからなる設定情報入力部７４を操作して設定情報を選択することで、設定情報が入力されるようにしてもよい。
【００７９】
ステップＳ１２の処理後、処理はステップＳ１３に進み、マイクロコンピュータ７２は、設定テーブルが完成したか否かを判定する。例えば、マイクロコンピュータ７２は、図７乃至図１０に示した各設定テーブルに対する全ての設定情報が入力されると、設定テーブルが完成したと判定する。また、例えば、マイクロコンピュータ７２は、ユーザが設定情報入力部７４に対して設定情報の入力が完了した旨の操作を行い、その旨の設定情報入力部７４から通知されると、設定テーブルが完成したと判定する。
【００８０】
ステップＳ１３において、マイクロコンピュータ７２が、設定テーブルが完成していないと判定した場合、処理はステップＳ１１に戻り、以下、同様の処理が繰り返される。一方、ステップＳ１３において、マイクロコンピュータ７２が、設定テーブルが完成したと判定した場合、処理はステップＳ１４に進む。
【００８１】
ステップＳ１４において、マイクロコンピュータ７２は、ユーザにより設定情報入力部７４を介して入力される連動情報（図１１に示したような組み合わせを示す情報）を取得し、処理はステップＳ１５に進む。例えば、あらかじめ適切な組み合わせが記憶部７３に記憶されており、マイクロコンピュータ７２は、それらの組み合わせをユーザに提示して、ユーザの選択により連動情報が入力される。
【００８２】
ステップＳ１５において、マイクロコンピュータ７２は、ステップＳ１４で取得した連動情報に基づいて、図１１の連動情報テーブルを作成して記憶部７３に記憶させ、処理は終了する。
【００８３】
以上のように、アドレス設定テーブルおよび連動設定テーブルが登録され、マイクロコンピュータ７２は、連動設定テーブルを参照して、モータ７７ａ乃至７７ｃを介して、コンデンサターレット３５、レボルバ２６、フィルタブロックターレット１９の回転を制御する。
【００８４】
例えば、ユーザが外部位相差ターレット２２を回転させて、アドレス番号Ｎｏ４２に応じた位相差リング「位相差リング40ｘPH3」を光軸Ｌ３上に配置させると、アドレス検出装置７６ｄは、アドレス番号Ｎｏ４２をマイクロコンピュータ７２に通知する。これにより、マイクロコンピュータ７２は、記憶部７３に記憶されている図１１の連動情報テーブルを参照し、外部位相差ターレット２２のアドレス番号Ｎｏ４２に対応付けられているレボルバ２６のアドレス番号Ｎｏ２３に対応する対物レンズ「P Fluor 40x」、コンデンサターレット３５のアドレス番号Ｎｏ１４に対応するリング絞りカセット「ＰＨ３」、および、フィルタブロックターレット１９のアドレス番号Ｎｏ３６に対応するブロック「平行平面硝子」の組み合わせで観察が行われるように、モータ７７ａ乃至７７ｃを介して、コンデンサターレット３５、レボルバ２６、およびフィルタブロックターレット１９を回転駆動させる。
【００８５】
また、位相差観察が終了し、ユーザが外部位相差ターレット２２を回転させて、アドレス番号Ｎｏ４１の開放にすると、この操作に連動して、リング絞りカセットおよびブロックが開放される制御が行われる。即ち、この場合、コンデンサターレット３５のアドレス番号Ｎｏ１１、フィルタブロックターレット１９のアドレス番号Ｎｏ３１がそれぞれ指定されて開放状態とされ、位相差観察で使用されていた対物レンズ「P Fluor 40x」での通常の明視野観察状態となる。
【００８６】
このように、顕微鏡１１では、位相差観察において、ユーザが位相差リングを光軸Ｌ３上に配置させると、光軸Ｌ１に平行平面硝子４１が自動的に挿入され、瞳共役面Ｆ３（図２）が位相差リングの調整範囲内に変更される。これにより、位相差観察を確実に行うことができるとともに、観察にかかる手間を省略することができ、顕微鏡１１の操作性を向上させることができる。
【００８７】
なお、例えば、顕微鏡１１では、コンデンサターレット３５のリング絞りの光軸Ｌ１に対する心出し調整、外部位相差ターレット２２の各位相差リングの光軸Ｌ３に対する心出し調整、および、瞳共役面Ｆ３に位相差リングを合致させるための調整を、観察を行う前に実施しておくことで、外部位相差ターレット２２の回転のみで、位相差観察を行う状態とすることができる。
【００８８】
次に、図１３は、顕微鏡１１の他の実施の形態の構成例を示すブロック図である。
【００８９】
図１３に示されている顕微鏡１１において、図６の顕微鏡１１と共通するブロックについては、同一の符号を付してあり、以下では、その説明は、適宜省略する。
【００９０】
即ち、図１３の顕微鏡１１は、制御装置７１が観察モード指定スイッチ７８を備え、外部位相差ターレット２２を回転駆動させるモータ７７ｄを備える点で、図６の顕微鏡１１と異なっており、その他の点で、図６の顕微鏡１１と共通する。
【００９１】
観察モード指定スイッチ７８は、顕微鏡１１により位相差観察または明視野観察のいずれを行うかを指定する際に操作される。
【００９２】
また、図１３の顕微鏡１１では、図１４に示すような連動設定テーブルが登録される。
【００９３】
例えば、観察モード指定スイッチ７８により位相差観察が指定された場合には、図１４の連動設定テーブルに示されているような対物レンズ、リング絞りカセット、ブロック、および位相差リングの組み合わせで観察が行われるように連動した制御が行われる。
【００９４】
具体的には、対物レンズ「P Fluor 40x」が光軸Ｌ１上に配置されているときに、観察モード指定スイッチ７８により位相差観察が指定されると、アドレス検出装置７６ｂにより、対物レンズ「P Fluor 40x」に対応するレボルバ２６のアドレス番号Ｎｏ２３が検出され、マイクロコンピュータ７２に通知される。
【００９５】
これにより、マイクロコンピュータ７２は、図１４の連動設定テーブルを参照し、対物レンズ「P Fluor 40x」に対応付けられているコンデンサターレット３５のアドレス番号Ｎｏ１４に対応するリング絞りカセット「ＰＨ３」、フィルタブロックターレット１９のアドレス番号Ｎｏ３６に対応するブロック「平行平面硝子」、および、外部位相差ターレット２２のアドレス番号Ｎｏ４２に対応する位相差リング「位相差リング40ｘPH3」の組み合わせで観察が行われるように、モータ７７ａ，７７ｃ、および７７ｄを介して、コンデンサターレット３５、フィルタブロックターレット１９、および外部位相差ターレット２２を回転駆動させる。
【００９６】
例えば、その後、観察モード指定スイッチ７８により明視野観察が指定された場合には、リング絞りカセット、ブロック、および位相差リングの全てが開放される制御が行われる。即ち、この場合、コンデンサターレット３５のアドレス番号Ｎｏ１１、フィルタブロックターレット１９のアドレス番号Ｎｏ３１、および外部位相差ターレット２２のアドレス番号Ｎｏ４１がそれぞれ指定されて開放状態とされ、位相差観察で使用されていた対物レンズ「P Fluor 40x」での通常の明視野観察状態となる。
【００９７】
このように、顕微鏡１１では、位相差観察において、所定の対物レンズが選択されると、光軸Ｌ１に平行平面硝子４１が自動的に挿入され、瞳共役面Ｆ３（図２）が位相差リングの調整範囲内に変更される。これにより、位相差観察を確実に行うことができるとともに、観察にかかる手間を省略することができ、顕微鏡１１の操作性を向上させることができる。
【００９８】
なお、図１の顕微鏡１１では、外部位相差ターレット２２を利用して、外部位相差ターレット２２を回転させることで光軸Ｌ３上に配置される位相差リングの切り替えを行っているが、例えば、直線状に位相差リングが配置されたスライダを利用して、位相差リングの切り替えを行ってもよい。
【００９９】
即ち、図１５は、スライダを利用して位相差リングの切り替えを行う顕微鏡１１’の斜視図である。
【０１００】
図１５の顕微鏡１１’において、図１の顕微鏡１１と共通するブロックについては、同一の符号を付してあり、以下では、その説明は、適宜省略する。
【０１０１】
即ち、図１５の顕微鏡１１’は、図１の外部位相差ターレット２２に替えて、スライダ８１を備える点で、図１の顕微鏡１１と異なっており、その他の点で、図１の顕微鏡１１と共通する。
【０１０２】
顕微鏡１１’では、スライダ８１が左右にスライドすることにより、光軸Ｌ３上に配置される位相差リングが切り替えられ、操作部８１ａを操作（回転）することにより、位相差リングの光軸Ｌ３方向の位置が調整可能とされている。また、図１３のモータ７７ｄがスライダ８１をスライド駆動させることで、上述したような連動した制御を行うことができる。
【０１０３】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。また、プログラムは、１つのCPUにより処理されるものであっても良いし、複数のCPUによって分散処理されるものであっても良い。
【０１０４】
また、マイクロコンピュータ７２が実行するプログラムは、記憶部７３に記憶されており、必要に応じて、図示しない通信部や記録媒体を介して記憶部７３にインストールして更新することができる。
【０１０５】
また、本発明は、各々異なる性能を有する位相差リングを備える顕微鏡のみに適用されるものではなく、例えば、対物レンズの像面側の瞳共役面に唯一の位相差リングを設置した顕微鏡において、瞳共役面の位置の微調整を平行平面硝子のような光路長変更部材の光路への挿入で行うことでもよい。
【０１０６】
なお、本発明の実施の形態は、上述した実施の形態に限定されるものではなく、本発明の要旨を逸脱しない範囲において種々の変更が可能であり、例えば、微分干渉観察系にも適用可能である。
【図面の簡単な説明】
【０１０７】
【図１】本発明を適用した顕微鏡の一実施の形態を示す斜視図である。
【図２】顕微鏡１１の光学系に平行平面硝子を挿入することによる瞳共役面の移動について説明する図である。
【図３】フィルタブロックターレット１９について説明する図である。
【図４】フィルタブロック５１の斜視図と断面図である。
【図５】光学素子ブロック５２の斜視図と断面図である。
【図６】顕微鏡１１の構成例を示すブロック図である。
【図７】コンデンサターレット３５のリング絞りカセットの設定情報が登録されたアドレス設定テーブルを示す図である。
【図８】レボルバ２６の対物レンズの設定情報が登録されたアドレス設定テーブルを示す図である。
【図９】フィルタブロックターレット１９のブロックの設定情報が登録されたアドレス設定テーブルを示す図である。
【図１０】外部位相差ターレット２２の位相差リングの設定情報が登録されたアドレス設定テーブルを示す図である。
【図１１】連動設定テーブルを示す図である。
【図１２】アドレス設定テーブルおよび連動設定テーブルを登録する処理を説明するフローチャートである。
【図１３】顕微鏡１１の他の実施の形態の構成例を示すブロック図である。
【図１４】連動設定テーブルを示す図である。
【図１５】スライダを利用して位相差リングの切り替えを行う顕微鏡１１’の斜視図である。
【符号の説明】
【０１０８】
１１  顕微鏡，  １２  標本，  １３  ステージ，  １４  対物レンズ，  １５  本体部，  １６  鏡筒，  １７Ｌおよび１７Ｒ  接眼レンズ，  １８  鏡筒ベースユニット１８，  １９  フィルタブロックターレット，  ２０  カメラ，  ２１  カメラポート，  ２２  外部位相差ターレット，  ２２ａ  操作部  ２３  カメラ，  ２４  カメラポート，  ２５  調整部材，  ２６  レボルバ，  ２７  アーム部，  ２８  落射蛍光用照明装置，  ２９  ベース部材，  ３０  支持部材，  ３１  支柱，  ３２  透過照明用照明装置，  ３３  アーム部，  ３４  コンデンサレンズ，  ３５  コンデンサターレット，  ３６  支持アーム，  ４１  平行平面硝子，  ４２  結像レンズ，  ４３  ミラー，  ４４  フィールドレンズ，  ４５  ミラー，  ４６および４７  リレーレンズ，  ４８  ミラー，  ５１ａ乃至５１ｄ  フィルタブロック，  ５２  光学素子ブロック，  ５３  装着部，  ５４  開口部，  ５５および５６  切り欠き部，  ５７および５８  嵌合部，  ６１  フィルタ，  ６２  ダイクロイックミラー，  ６３  フィルタ，  ７１  制御装置，  ７２  マイクロコンピュータ，  ７３  記憶部，  ７４  設定情報入力部，  ７５  操作指令スイッチ，  ７６ａ乃至７６ｄ  アドレス検出装置，  ７７ａ乃至７７ｄ  モータ，  ８１  スライダ，  ８１ａ  操作部
【図１】
2010175774.tif 000003
【図２】
2010175774.tif 000004
【図３】
2010175774.tif 000005
【図４】
2010175774.tif 000006
【図５】
2010175774.tif 000007
【図６】
2010175774.tif 000008
【図７】
2010175774.tif 000009
【図８】
2010175774.tif 000010
【図９】
2010175774.tif 000011
【図１０】
2010175774.tif 000012
【図１１】
2010175774.tif 000013
【図１２】
2010175774.tif 000014
【図１３】
2010175774.tif 000015
【図１４】
2010175774.tif 000016
【図１５】
2010175774.tif 000017